(57)【要約】【課題】　原画像に画像補正処理を施して記録する場合に、原画像が再現可能な記録を得ることができる画像記録装置を提供することを目的とする。【解決手段】　原画像に補正処理を施した補正画像を第１のメディアに記録するとともに、原画像、あるいは原画像を再現することができる画像と情報の組とのうちの少なくともいずれか一方を第２の外部メディアに記録する。補正処理が施された補正画像が好ましいものではない場合には、第２の外部メディアに記録された原画像を用いるか、あるいは、第２の外部メディアに記録された画像と情報の組を使って、原画像を再現することができる。【選択図】　　　　図５
2004145869.tif 000002
【特許請求の範囲】
【請求項１】
　原画像を表す画像データが入力される画像データ入力部と、
　前記画像データ入力部に入力された画像データが表す原画像に所定の補正処理を施す画像補正部と、
　視覚的な画像記録および画像データによる記録のうちの少なくともいずれか一方の形式で画像を記録する第１の外部メディアに、前記画像補正部で原画像に補正処理が施されてなる補正画像を記録するとともに、視覚的な画像記録および画像データによる記録のうちの少なくともいずれか一方の形式で画像を記録する第２の外部メディアに、前記原画像を再現することができる、画像および情報の組と前記原画像とのうちの少なくともいずれか一方を記録する画像記録部とを備えたことを特徴とする画像記録装置。
【請求項２】
　前記画像補正部が、前記原画像に赤目補正処理を施すものであることを特徴とする請求項１記載の画像記録装置。
【請求項３】
　前記画像データ入力部は、撮影画像が入力されるものであり、
　前記画像記録部が、前記補正画像を写真プリントに記録し、前記組を、デジタルデータを記録する媒体に記録するものであることを特徴とする請求項１記載の画像記録装置。
【請求項４】
　前記画像データ入力部は、撮影画像が入力されるものであり、
　前記画像記録部が、前記補正画像を第１の写真プリントに記録するとともに、前記組と前記原画像とのうちの少なくともいずれか一方を第２の写真プリントに記録するものであることを特徴とする請求項１記載の画像記録装置。
【発明の詳細な説明】
【技術分野】
【０００１】
　本発明は、原画像に所定の補正処理を施して、補正した画像を記録する画像記録装置に関する。
【背景技術】
【０００２】
　従来より、デジタルカメラで被写体を撮影して得られた撮影画像データに所望の画像補正処理を施して、補正された補正画像データをフレキシブルディスク（以下、ＦＤと省略する）などといった記録媒体に記録したり、補正画像データが表す補正画像を写真にプリントすることなどが行われている。画像補正処理としては、例えば、閃光発光装置の閃光が網膜の奥の毛細血管で反射して目が赤や金色に写ってしまう赤目や金目を補正する処理や、閃光によって目をつぶってしまう目つぶりを補正する処理、空の色や肌の色を好ましい色に補正する処理、および階調補正処理などがあり、通常は写真のプリントなどを行うラボ（現像所）で、オペレータがコンピュータを使ってこれらの画像補正処理を行うことが一般的である。画像補正処理にコンピュータを用いることによって、オペレータは、画像補正処理後の補正画像を画面で確認しながら、写真としては好ましくないと考えられる不具合を作り変えることができる。近年では、フィルム式のカメラの分野においても、写真プリントを作成する際に、撮影後の写真プリント上に記録されている撮影画像を光学的に読み取って撮影画像データを取得し、その撮影画像データに上述したデジタルカメラの場合と同様の画像補正処理を施して補正画像データを生成し、その補正画像データを写真プリントすることでより好ましい写真を作成することが広範に行われている。また、写真フィルム上に焼き付けられた撮影画像を読み取って撮影画像データを取得することによって、コンピュータを使ったデジタルの画像補正処理を行うことができるだけでなく、例えば、ＦＤに画像データを記録するなど、画像の保存が便利になるという利点も生じる。この点に関し、特許文献１には、画像を写真にプリントするとともに、ＦＤなどの記録媒体に画像を表す画像データを記録する方法について、特許文献２には、画像を表す画像データのサイズを算出して、画像データを記録するのに最適な記録媒体を選択してから画像データを記録する方法について記載されている。
【特許文献１】特開平１０−１５０５３８号公報（第４頁、第１図）
【特許文献２】特開平１１−２３４５１４号公報（第３頁、第３図）
【発明の開示】
【発明が解決しようとする課題】
【０００３】
　ところで、例えば、上述した赤目を補正する処理では、コンピュータが画像内の赤目の画像部分を検出し、その画像部分を自動的に補正することが行われている。この場合、コンピュータが赤目ではない画像部分を赤目であると誤認識して、その画像部分を自動的に補正してしまうなどということがある。また、きちんと赤目が補正されていても、人によっては赤目の画像のままでよいと感じることもある。このように、補正画像の方が補正されていない撮影画像よりも常に好ましいとは限らず、補正を行った後に、補正前の撮影画像を再現する必要が生じる場合がある。しかし、上記の特許文献１および特許文献２の方法では、撮影画像を再現することができない。
【０００４】
　このような問題は、カメラの分野のみに限られた問題ではなく、画像補正処理を用いる分野一般で生じる問題である。
【０００５】
　本発明は上記事情に鑑み、原画像に画像補正処理を施して記録する場合に、原画像が再現可能な記録を得ることができる画像記録装置を提供することを目的とする。
【課題を解決するための手段】
【０００６】
　上記目的を達成する本発明の画像記録装置は、原画像を表す画像データが入力される画像データ入力部と、
　画像データ入力部に入力された画像データが表す原画像に所定の補正処理を施す画像補正部と、
　視覚的な画像記録および画像データによる記録のうちの少なくともいずれか一方の形式で画像を記録する第１の外部メディアに、画像補正部で原画像に補正処理が施されてなる補正画像を記録するとともに、視覚的な画像記録および画像データによる記録のうちの少なくともいずれか一方の形式で画像を記録する第２の外部メディアに、原画像を再現することができる、画像および情報の組と原画像とのうちの少なくともいずれか一方を記録する画像記録部とを備えたことを特徴とする。
【０００７】
　本発明の画像記録装置は、原画像に所定の補正処理を施した補正画像を第１の外部メディアに記録するとともに、原画像、あるいは原画像を再現できる画像と情報の組を第２の外部メディアに記録する。したがって、例えば、第１の外部メディアに記録された補正画像が好ましいものではないときには、第２の外部メディアに記録された原画像をそのまま用いるか、第２の外部メディアに記録された原画像を再現できる画像と情報の組から原画像を再現して用いることができる。
【０００８】
　また、本発明の画像記録装置において、上記の画像補正部が、原画像に赤目補正処理を施すものであることが好ましい。
【０００９】
　近年、カメラの小型化が進んでいるが、このような小型化されたカメラにおいては、閃光を発光する閃光発光装置とレンズとの距離を十分に確保することができず、赤目が生じる可能性が高くなっている。画像補正部で原画像のうちの赤目にあたる画像部分を補正し、補正画像と原画像、あるいは補正画像と原画像を再現可能な画像および情報を記録しておくことで、赤目の不具合が解消されるとともに、元の画像に戻したいときにも容易に原画像を再現することができる。
【００１０】
　また、本発明の画像記録装置において、上記の画像データ入力部は、撮影画像が入力されるものであり、
　画像記録部が、補正画像を写真プリントに記録し、上記の組を、デジタルデータを記録する媒体に記録するものであることが好ましい。
【００１１】
　デジタルカメラの分野においては、小型記録媒体に記録された撮影画像データに基づく撮影画像を写真にプリントするとともに、その撮影画像データをＦＤ等に記録するというサービスが普及している。このプリントされた写真には、一般のユーザが持たない専門的なノウハウ等が反映された補正が施されていることが望ましい。一方、ＦＤ等に記録された撮影画像データは、フィルム式カメラの撮影フィルムに相当し、ユーザが好みに応じて自由に手を加えることができるものであることが好ましい。
【００１２】
　さらに、本発明の画像記録装置において、上記の画像データ入力部は、撮影画像が入力されるものであり、
　画像記録部が、補正画像を第１の写真プリントに記録するとともに、上記の組と原画像とのうちの少なくともいずれか一方を第２の写真プリントに記録するものであってもよい。
【００１３】
　例えば、補正されていない原画像をＦＤ等に記録する場合、パーソナルコンピュータなどを用いないとＦＤ等に記録されている原画像を確認することができない。補正画像および原画像の両方をそれぞれ写真プリントに記録することで、パーソナルコンピュータを所有していない人でも両方の写真を入手することができ、好みに合った写真を選択することができる。
【発明の効果】
【００１４】
　本発明によれば、原画像に画像補正処理を施して記録する場合に、原画像が再現可能な記録を得ることができる画像記録装置を提供することができる。
【発明を実施するための最良の形態】
【００１５】
　以下、本発明の実施形態について説明する。
【００１６】
　図１は、本発明の画像記録装置の一実施形態が適用された、デジタル画像データに基づいて画像を写真プリントする写真用デジタルプリンタの外観斜視図である。
【００１７】
　写真用デジタルプリンタ１０は、写真フィルム上に記録された撮影画像を光学的に読み取って撮影画像データを得たり、あるいはデジタルカメラ等で撮影されて小型記録媒体に記録された撮影画像データを小型記録媒体から読み込んで、それらの撮影画像データに所定の補正処理を施して補正画像データを生成して、その補正画像データおよび補正画像データに基づく補正画像を、ＦＤなどといった記録媒体や写真プリントに記録する装置である。この補正画像データなどを記録する記録媒体はＦＤには限らず、ＣＤ−Ｒ，ＣＤ−ＲＷ，ＭＯなどといった、近年広く用いられている大容量の記録媒体であってもよい。本実施形態においては、一般的なパーソナルコンピュータに標準的に装備されているＦＤドライブを使ってアクセスすることができるＦＤを記録媒体として適用する。
【００１８】
　この写真用デジタルプリンタ１０は、画像入力機１００と画像出力機２００から構成されている。
【００１９】
　画像入力機１００は、現像済み写真フィルムからその写真フィルムに記録された複数の撮影画像を光電的にコマごとに順次読み取るスキャナ部１１０と、スキャナ部１１０で読み取って得た撮影画像データに対し所定の補正処理を行う画像補正処理部１２０を備えている。画像補正処理部１２０は、ＣＲＴ表示部１３０、キーボード１４０、マウス１５０、および回路部１６０から構成されており、回路部１６０は外観上、小型記録媒体を装填するための小型記録媒体装填口（図示しない）、およびＦＤを装填するためのＦＤ装填口（図示しない）を有する。回路部１６０は、大きくは、ＣＲＴ表示部１３０、キーボード１４０やマウス１５０とともにコンピュータシステムを構成するコンピュータ回路部、画像補正処理用のハードウェアである画像補正処理基板とから構成されている。画像入力機１００を構成している各部の詳細は後述する。
【００２０】
　また、画像出力機２００は、画像入力機１００で得られた画像データに基づいて変調されたレーザ光を走査することにより印画紙に画像を露光するレーザプリンタ部２１０と、レーザプリンタ部２１０により露光された印画紙を現像してプリント写真を得るプロセッサ部２２０とから構成されている。画像出力機２００の内部構成についても後述する。
【００２１】
　まず、画像入力機１００のスキャナ部１１０の構成と、写真フィルム上に記録された撮影画像を読み取る一連の手順について説明する。
【００２２】
　図２は、画像入力機１００のスキャナ部１１０の構成を示す模式図である。
【００２３】
　ここでは、現像済みの写真フィルム２０が、給送用ローラ３１や給送駆動部３２を備えたフィルムキャリア（外観は図示しない）にセットされ、給送用ローラ３１が給送駆動部３２により駆動され、写真フィルム２０が矢印Ａ方向に給送されて、写真フィルム２０に記録された撮影画像がコマごとに粗く高速に読み取られる（以下、これをプレスキャンと称する）。
【００２４】
　このスキャナ部１１０には、例えば、ハロゲンランプ、あるいはメタルハライドランプ等からなる光源１１１が備えられており、光源１１１から発せられた光は、それぞれＣ（シアン）、Ｍ（マゼンタ）、およびＹ（イエロー）の光を透過する３枚のフィルタ１１２Ｃ，１１２Ｍ，１１２Ｙを経由し、さらに拡散ボックス１１３を経由して、写真フィルム２０を図２に示すように下側から照射する。写真フィルム２０を透過した光は、ズームレンズ１１４を経由してＣＣＤ光センサ１１５に達する。このＣＣＤ光センサ１１５のセンサ面を含む平面上には、ズームレンズ１１４の作用により、写真フィルム２０に記録された撮影画像が結像される。ＣＣＤ光センサ１１５で得られた撮影画像信号は、Ａ／Ｄ変換器１１６でデジタルの撮影画像データに変換され、後述する回路部１６０に伝達される。
【００２５】
　３枚のフィルタ１１２Ｃ，１１２Ｍ，１１２Ｙは、それぞれの中央に、光がそのフィルタの作用を受けずに通過する開口部を有し、その開口部の周囲はそのフィルタにより作用を受けた光が透過する。フィルタ制御部１１７は各フィルタの開口部の大きさを調整し、それにより各フィルタの作用の程度を調整する。３枚のフィルタ１１２Ｃ，１１２Ｍ，１１２Ｙを通った光は拡散ボックス１１３内で拡散され、均一な光となって写真フィルム２０を照射する。
【００２６】
　写真フィルム２０上の撮影画像はズームレンズ１１４によってＣＣＤ光センサ１１５の表面に結像されるが、このズームレンズ１１４は、ズームレンズ駆動部１１８によって駆動されてズームレンズ１１４の焦点距離が調整され、そのズームレンズ１１４の焦点距離に応じた倍率の画像がＣＣＤ光センサ１１５のセンサ面に結像される。ＣＣＤ光センサ１１５は、写真フィルム２０の幅方向に多数の受光素子が配列されたラインセンサであって、そのラインセンサが写真フィルム２０の給送方向に３列並び、それらのラインセンサの表面にはそれぞれＲ（レッド），Ｇ（グリーン），Ｂ（ブルー）の色分解フィルタが配置され、各ラインセンサでは写真フィルム２０に記録された撮影画像のＲ，Ｇ，Ｂの各成分が読み取られる。この３本のラインセンサによる画像読取りは、写真フィルム２０がＡ方向あるいはＢ方向に給送される間繰り返し行われ、その結果、写真フィルム２０上に２次元的に広がる撮影画像がコマごとに読み取られる。
【００２７】
　ここで、写真フィルム２０が矢印Ａ方向に給送されてＣＣＤ光センサ１１５により画像読取りが行われるプレスキャンのときは、写真フィルム２０の給送速度が速く、かつＣＣＤ光センサ１１５を構成するラインセンサでは飛び飛びに間引かれた受光素子でのみ画像読み取りが行われ、その結果粗い画像が得られる。
【００２８】
　このプレスキャンの時には、３枚のフィルタ１１２Ｃ，１１２Ｍ，１１２Ｙは予め定められた寸法の開口となるように制御される。そのプレスキャンの後、読み取られた撮影画像、および予め用意されている条件指定画面が図１に示すＣＲＴ表示部１３０に表示される。オペレータは、ＣＲＴ表示部１３０に表示された撮影画像および条件指定画面を確認して、プリントサイズや画像濃度およびＣＭＹ各色の濃度などの画像取得条件を指定する。画像取得条件が指定されると、３枚のフィルタ１１２Ｃ，１１２Ｍ，１１２Ｙは、指定された画像取得条件にあうように調整され、さらに、必要に応じてズームレンズ１１４は指定されたプリントサイズに応じた焦点距離に調整される。さらに写真フィルム２０は矢印Ｂ方向に給送されて、ＣＣＤ光センサ１１５では、指定されたプリントサイズに応じた間引き方で（あるいは間引かずに）撮影画像が読み取られる（以下、これをファインスキャンと称する）。ＣＣＤ光センサ１１５で得られた撮影画像信号は、前述したとおり、Ａ／Ｄ変換器１１６でデジタルの撮影画像データに変換されて回路部１６０に伝達される。
【００２９】
　次に、画像入力機１００の画像補正処理部１２０を構成している回路部１６０の構成について説明する。
【００３０】
　図３は、画像入力機１００の画像補正処理部１２０を構成している回路部１６０のブロック図である。
【００３１】
　この回路部１６０は、大別して、コンピュータ回路部１７０と画像補正処理基板１９０とからなる。
【００３２】
　コンピュータ回路部１７０は、各種のプログラムが実行されるＣＰＵ１７１、ＣＰＵ１７１で各種プログラムが実行される際の作業領域として使用されるＲＡＭ１７２、固定的な定数等が格納されたＲＯＭ１７３、この画像入力機１００内の各部の制御を行うための制御信号を入出力する制御インタフェース１７４、図２のスキャナ部１１０から画像が入力され、画像補正処理基板１９０に画像を出力する画像インタフェース１７５、図１に外観を示すＣＲＴ表示部１３０、キーボード１４０、マウス１５０、さらに小型記録媒体１６３をアクセスする小型記録媒体ドライブ１６２、ＦＤ１６５をアクセスするＦＤドライブ１６４、ハードディスク１７６、図１に示す画像出力機２００との間のデータの送受信を担う外部インタフェース１７７を備えており、それらはバス１７８で相互に接続されている。
【００３３】
　制御インタフェース１７４からは、ここに示す例では、図２に示す給送駆動部３２、フィルタ制御部１１７、ズームレンズ駆動部１１８に向けて各制御信号が送出され、給送制御部３２、フィルタ制御部１１７、ズームレンズ駆動部１１８では、各制御信号を受けて、それぞれ写真フィルム２０の給送、フィルタ１１２Ｃ，１１２Ｍ，１１２Ｙの調整、ズームレンズ１１４の焦点距離の調整（結像倍率の調整）が行われる。
【００３４】
　また、その制御インタフェース１７４からは、ＣＣＤ光センサ１１５を制御するための制御信号や、この画像入力機１００の各部の制御を司る制御信号が出力される。
【００３５】
　さらに、この制御インタフェース１７４からは、オペレータによって指定された画像取得条件などが画像補正処理基板１９０に伝達される。
【００３６】
　画像補正処理基板１９０は、スキャナ部１１０で取得された撮影画像データ、あるいは小型記録媒体１６３に記録されている撮影画像データが入力される画像データ入力部１９１、画像データ入力部１９１で入力された撮影画像データに所定の画像補正処理を施して補正画像データを生成する画像補正部１９２、および画像補正部１９２で生成された補正画像データに基づく補正画像をＦＤ１６５あるいは図１の画像出力機２００に送って写真に記録する画像記録部１９３を備えている。この画像データ入力部１９１は本発明の画像記録装置における画像データ入力部の一例に相当し、同様に、画像補正部１９２は本発明の画像記録装置における画像補正部の一例、画像記録部１９３は本発明の画像記録装置における画像記録部の一例にそれぞれ相当する。画像補正処理基板１９０で行われる処理については後述する。
【００３７】
　画像入力機１００は、基本的には以上のように構成されている。
【００３８】
　ここで、図１に示す画像入力機１００において写真フィルム上に記録された撮影画像を読み取る場合、スキャナ部１１０でプレスキャンが行われると、そのプレスキャンにより得られた撮影画像は、画像インタフェース１７５を経由して回路部１６０のコンピュータ回路部１７０（図３参照）に入力され、ＣＲＴ表示部１３０に表示される。オペレータによって画像取得条件が指定されると、その指定結果に応じた画像取得条件を表す情報が画像補正処理基板１９０（図３参照）に伝達される。さらに、スキャナ部１１０ではファインスキャンが行われ、それにより得られた撮影画像は今度は画像補正処理基板１９０に入力されて各種の補正処理が行われる。その補正処理後の補正画像は、画像出力機２００に伝達されて、レーザ光による露光の際にレーザ光変調用の信号として用いられる。
【００３９】
　また、写真フィルムに記録された撮影画像をスキャナ部１１０で読み取るのではなく、デジタルカメラなどで撮影された撮影画像が記録された図３に示す小型記録媒体１６３から撮影画像が入力される場合は、撮影画像データが小型記録媒体ドライブ１６２を経由してコンピュータ回路部１７０に入力されて、撮影画像が図１に示すＣＲＴ表示部１３０に表示される。また、撮影画像データは画像インタフェース１７５を経由して画像補正処理基板１９０にも送られて、写真フィルムから撮影画像を読み取る場合と同様に、オペレータによってプリント倍率などの画像取得条件が指定されると、その指定結果に応じた画像取得条件を表す情報が画像補正処理基板１９０に伝達され、各種の画像補正処理が行われる。その画像補正処理後の補正画像は、画像出力機２００に伝達される。
【００４０】
　次に、画像出力機２００の構成、および画像出力機２００に伝達された撮影画像を写真にプリントする一連の手順について説明する。
【００４１】
　図４は、画像出力機２００の内部構造を示す模試図である。
【００４２】
　この画像出力機２００の内部には、巻回された長尺の未露光の印画紙３０が装鎮されており、この印画紙３０はその先端から引き出されて、レーザプリンタ部２１０を経由し、さらにプロセッサ部２２０を経由し、カッタ２３０により１コマずつに切断されてソータ２４０にスタックされる。
【００４３】
　画像入力機１００の画像補正処理基板１９０から出力されこの画像出力機２００に送られてきた画像は、レーザプリンタ部２１０を構成する画像バッファ２１１に一旦格納される。
【００４４】
　また、このレーザプリンタ部２１０には、それぞれＲ，Ｇ，Ｂの各色のレーザ光を出射する３つのレーザ光源２１２Ｒ，２１２Ｇ，２１２Ｂが備えられており、それらのレーザ光源２１２Ｒ，２１２Ｇ，２１２Ｂは画像バッファ２１１に格納されたＲ，Ｇ，Ｂの各色分解画像に基づいて駆動され、これらのレーザ光源２１２Ｒ，２１２Ｇ，２１２Ｂからは、その駆動に応じて変調されたレーザ光が出射される。それらのレーザ光は、回転多面鏡２１３により繰り返し反射偏向し、ミラー２１４で反射し、さらに印画紙３０上でのスポット径を調節するためのｆθレンズ２１５を経由して、露光部Ｅｐにおいて、印画紙３０を、図４の紙面に垂直な方向に繰り返し走査する。その間印画紙３０は矢印Ｃ方向に搬送され、その印画紙３０上に画像が露光される。
【００４５】
　この露光後の印画紙３０は、プロセッサ部２２０に搬送され、まずリザーバ部２２１で印画紙３０の搬送速度調整が行われた後、現像槽２２２で発色現像が行われ、定着槽２２３で漂白定着が行われ、さらにリンス槽２２４でリンス処理が行われ、乾燥部２２５で乾燥された後、前述したようにカッタ２３０で写真１枚ずつに切断されてソータ２４０にスタックされる。
【００４６】
　画像入力機１００で得られた画像データは、上記のようにして画像出力機２００で写真プリントされる。
【００４７】
　以下、画像補正処理基板１９０で行われる処理について説明する。
【００４８】
　図５は、図３にも示す画像補正処理基板１９０の機能ブロック図である。以下、この図を用いて画像補正処理基板１９０で行われる一連の処理について説明する。
【００４９】
　図１に示す画像入力機１００のスキャナ部１１０で得られた撮影画像データ、あるいは図３に示す小型記録媒体１６３に記録された撮影画像データは、画像インタフェース１７５を経由して図５の画像データ入力部１９１に入力される。入力された撮影画像データは、画像補正部１９２に送られる。
【００５０】
　画像補正部１９２は、画像データ入力部１９１から送られてきた撮影画像データに、所定の画像補正処理を施して補正画像データを生成する。この例では、所定の画像補正処理として、撮影画像に含まれる人物の赤目を補正する赤目補正処理を施す場合について説明する。
【００５１】
　赤目は、暗い場所で閃光を発光して人物などを撮影するときに、目の瞳孔が開いた状態で閃光の強い光が眼底の毛細血管に当たって反射し、その結果、撮影画像に写っている人物の目の色が赤くなってしまう現象である。
【００５２】
　この赤目を補正するには、まず、撮影画像データが表す撮影画像を構成している画像部分の色とその画像部分の形から、撮影画像のうち赤目の画像部分（以下、この画像部分を赤目画像部分と称する）の位置が検出される。この赤目画像部分を検出する方法は、従来から一般的に行われている方法が用いられる。
【００５３】
　赤目画像部分の位置が検出されると、次に、赤目画像部分の色および明るさが検出される。撮影画像のうち赤目画像部分の彩度が所定の値まで落とされて、赤目画像部分の色および明るさが、写真として好ましい一般的な人物の目の色および明るさと同等な色および明るさに補正される。
【００５４】
　この一連の赤目補正処理が施された補正画像データ、および赤目補正処理を施されていない撮影画像データはともに画像記録部１９３に送られる。
【００５５】
　画像記録部１９３は、画像補正部１９２から送られた画像データのうち、赤目補正処理が施された補正画像データを図１の画像出力機２００に送り、赤目補正処理が施されていない撮影画像データを、図３に示すＦＤドライブ１６４を介してＦＤ１６５に送る。ＦＤ１６５には、撮影画像データが記録される。また、画像出力機２００は、補正画像データが送られてくると、補正画像データが表す補正画像を印画紙３０に写真プリントする。この印画紙３０は、本発明にいう第１の外部メディアの一例にあたり、ＦＤ１６５は、本発明にいう第２の外部メディアの一例に相当する。
【００５６】
　例えば、撮影画像の写真プリントを依頼した顧客が、写真に記録された、赤目補正処理が施された補正画像を好ましくないと感じた場合、顧客は、ＦＤ１６５に記録されている撮影画像データが表す撮影画像をパーソナルコンピュータなどを用いて確認し、撮影画像を印画紙などにプリントすることができる。このように、補正画像を写真で確認することができるとともに、ＦＤ１６５に記録されている撮影画像データから、撮影画像を再現することができる。
【００５７】
　以上で、補正画像を写真プリントするとともに、撮影画像をＦＤ１６５に記録する本発明の画像記録装置の第１実施形態の説明を終了し、次に、本発明の画像記録装置の第２実施形態の説明について説明する。この第２実施形態は、図１から図３に示す第１実施形態の構成と同様な構成を有するが、入出力されるデータが相違している。以下では、第１実施形態との相違点に注目して説明する。
【００５８】
　図６は、本実施形態における画像補正処理基板１９５の機能ブロック図である。以下、第１実施形態と同様に、この図を用いて画像補正処理基板１９５で行われる一連の処理について説明する。
【００５９】
　図６に示す画像補正部１９６は、図５に示す第１実施形態の画像補正部１９２と同様に、画像データ入力部１９１から送られた撮影画像データに赤目補正処理を施して補正画像データを生成する。しかし、図５の画像補正部１９２は画像記録部１９３に撮影画像データおよび補正画像データを送っていたが、本実施形態の画像補正部１９６は、画像記録部１９７に補正画像データおよび補正画像データを元の撮影画像データに変換するための補正情報を送る。この例では、補正処理は赤目補正処理であり、この補正情報としては、第１実施形態で説明した赤目の位置情報、赤目補正前の色や明るさの情報などがあたる。
【００６０】
　画像記録部１９７は、第１実施形態の画像記録部１９３と同様に、画像補正部１９６から送られた補正画像データを画像出力機２００に送り、画像出力機２００では、補正画像データが表す補正画像が印画紙３０に写真プリントされる。また、画像記録部１９７は、画像記録部１９３とは異なり、補正画像データのヘッダに、画像補正部１９６から送られた補正情報を付加して補正情報が付加された補正画像データをＦＤ１６５に送る。
【００６１】
　ここで、撮影画像の写真プリントを依頼した顧客が、写真に記録された補正画像を好ましくないと感じた場合、顧客は、ＦＤ１６５に記録されている補正画像データのヘッダに付加されている補正情報を用いて、補正画像の補正された赤目画像部分の色および明るさを、補正前の色や明るさに変えることで補正画像データを撮影画像データに戻すことができる。したがって、補正画像を写真で確認することができるとともに、ＦＤ１６５に記録されている補正画像データを撮影画像データに変換し、撮影画像を再現することができる。
【００６２】
　以上で、補正画像を写真プリントするとともに、補正情報が付加された補正画像データをＦＤ１６５に記録する本発明の画像記録装置の第２実施形態の説明を終了する。
【００６３】
　ここで、本発明の画像記録装置は、例えば、補正画像と撮影画像の両方を写真プリントするとともに、補正情報が付加された補正画像データをＦＤに記録するものであってもよい。補正画像と撮影画像の両方を写真プリントすることによって、補正処理の効果を容易に比較することができ、ＦＤに補正情報が付加された補正画像データを記録することによって、撮影画像を再現することができる。
【００６４】
　また、本発明の画像記録装置は、補正画像を写真プリントするとともに、補正情報が付加された補正画像データと、撮影画像データとをＦＤに記録するものであってもよい。上述した、補正画像と撮影画像の両方を写真プリントする場合と比べて、撮影画像を写真プリントする無駄を省くことができ、撮影画像を再現する際に補正画像データを使った再現処理を行う手間を省くことができる。
【００６５】
　また、上記では、補正画像および原画像などを印画紙とＦＤにそれぞれ記録する写真用デジタルプリンタについて説明したが、本発明の画像記録装置は、例えば、両方の画像を別々の印画紙にそれぞれ記録するといったように、それぞれの画像を記録する第１の外部メディアおよび第２の外部メディアは同じ種類のメディアであってもよい。
【００６６】
　また、上記では、画像を記録する第１の外部メディアおよび第２の外部メディアが予め定められている写真用デジタルプリンタについて説明したが、本発明の画像記録装置は、これらの外部メディアが予め定められている必要はなく、例えば、オペレータがマウスなどの操作子を用いて第１の外部メディアおよび第２の外部メディアを指定するものであってもよい。
【００６７】
　また、上記では、本発明にいう画像補正部で施される補正処理の一例として赤目補正処理を行う写真用デジタルプリンタについて説明したが、この補正処理は赤目補正処理に限らず、本発明の画像記録装置の画像補正部は、例えば、金目や目瞑りの画像を補正する処理や、空や肌の色を好ましい色に補正する処理、あるいは階調補正処理などを行うものであってもよい。
【００６８】
　さらに、上記では、本発明の画像記録装置を写真用デジタルプリンタに適用する例ついて説明したが、この画像記録装置は、原画像に所定の補正処理を施した補正画像を記録する装置であればよく、写真用デジタルプリンタ以外の装置等に適用されてもよい。
【図面の簡単な説明】
【００６９】
【図１】本発明の画像記録装置の一実施形態が適用された写真用デジタルプリンタの外観斜視図である。
【図２】画像入力機１００のスキャナ部１１０の構成を示す模式図である。
【図３】画像入力機１００の画像補正処理部１２０を構成している回路部１６０のブロック図である。
【図４】画像出力機２００の内部構造を示す模試図である。
【図５】画像補正処理基板１９０の機能ブロック図である。
【図６】画像補正処理基板１９５の機能ブロック図である。
【符号の説明】
【００７０】
　１０　　写真用デジタルプリンタ
　２０　　写真フィルム
　３１　　給送用ローラ
　３２　　給送駆動部
　１００　　画像入力機
　１１０　　スキャナ部
　１１１　　光源
　１１２　　フィルタ
　１１３　　拡散ボックス
　１１４　　ズームレンズ
　１１５　　ＣＣＤ光センサ
　１１６　　Ａ／Ｄ変換器
　１１７　　フィルタ制御部
　１１８　　ズームレンズ駆動部
　１２０　　画像補正処理部
　１３０　　ＣＲＴ表示部
　１４０　　キーボード
　１５０　　マウス
　１６０　　回路部
　１６２　　小型記録媒体ドライブ
　１６３　　小型記録媒体
　１６４　　ＦＤドライブ
　１６５　　ＦＤ
　１７０　　コンピュータ回路部
　１７１　　ＣＰＵ
　１７２　　ＲＡＭ
　１７３　　ＲＯＭ
　１７４　　制御インタフェース
　１７５　　画像インタフェース
　１７６　　ハードディスク
　１７７　　外部インタフェース
　１７８　　バス
　１９０　　画像補正処理基板
　１９１　　画像データ入力部
　１９２　　画像補正部
　１９３　　画像記録部
　１９５　　画像補正処理基板
　１９６　　画像補正部
　１９７　　画像記録部
　２００　　画像出力機
　２１０　　レーザプリンタ部
　２２０　　プロセッサ部
　２２１　　リザーバ部
　２２２　　現像槽
　２２３　　定着槽
　２２４　　リンス槽
　２２５　　乾燥槽
　２３０　　カッタ
　２４０　　ソータ
【図１】
2004145869.tif 000003
【図２】
2004145869.tif 000004
【図３】
2004145869.tif 000005
【図４】
2004145869.tif 000006
【図５】
2004145869.tif 000007
【図６】
2004145869.tif 000008